(57)【要約】【課題】ガラス板の一側部を補強し、撓み等を抑えて安定よく取付けうるとともに、ガラスの部分の領域を広げうるようにし、かつデザイン的に自由度が大きく、見栄えも向上しうるようにしたガラスドアを提供する。【解決手段】ガラス板９よりなるドア本体における一側端部の前面に、上下方向を向くガラス保持部材１３を固着し、このガラス保持部材１３の上下複数箇所に、ドア本体を水平回動可能に支持するヒンジ部材３３、２６を取付ける。【選択図】  図１
2010077771.tif 000002
【特許請求の範囲】
【請求項１】
ガラス板よりなるドア本体における一側端部の前後面のいずれか一方に、上下方向を向くガラス保持部材を固着し、このガラス保持部材の上下方向の複数箇所に、前記ドア本体を水平回動可能に支持するヒンジ部材を取付けたことを特徴とするガラスドア。
【請求項２】
ガラス保持部材の上下の端面に、それぞれ、上方に開口する軸孔と、下方に開口する軸孔とを設け、これらの軸孔に、ドア本体を支持するドア支持金具に突設した、ヒンジ部材としてのヒンジピンを回動可能に嵌合してなる請求項１記載のガラスドア。
【請求項３】
ガラス保持部材における軸孔の形成部を、ドア本体の開放方向に膨出させてなる請求項２記載のガラスドア。
【請求項４】
ドア本体における一側端部の前後面の他方に、上下方向を向く補強部材を、ガラス保持部材とによりドア本体の側端部を前後から挟持するようにして固着してなる請求項１〜３のいずれかに記載のガラスドア。
【請求項５】
ガラス保持部材と補強部材とを、上下複数の締付手段により互いに結合してなる請求項４記載のガラスドア。
【請求項６】
締付手段を、ガラス保持部材と補強部材とのいずれか一方に挿入され、ドア本体を貫通して他方側に突出する締付けねじと、この締付けねじと対向するようにして、ガラス保持部材と補強部材とのいずれか他方に設けためねじ孔とからなるものとした請求項５記載のガラスドア。
【請求項７】
ガラス保持部材と補強部材同士を、ドア本体の側端面を覆う連結片を介して、互いに一体的に結合してなる請求項４〜６のいずれかに記載のガラスドア。
【発明の詳細な説明】
【技術分野】
【０００１】
本発明は、例えば間仕切り等の出入口に取付けられるガラスドアに関する。
【背景技術】
【０００２】
従来のガラスドアには、ガラス板の周囲を四方枠により保持し、その一側部の縦枠を、間仕切りの側端部の縦フレームに、蝶番により水平回動自在に取付けたもの(例えば特許文献１参照)や、ガラス板の一側部に蝶番を固定し、この蝶番により、ガラスドアを直接間仕切りの側端部に水平回動自在に取付けたもの(例えば特許文献２参照)などがある。
【特許文献１】特開２００６−１４４４４３号公報
【特許文献２】特開２００６−３１６５８３号公報
【発明の開示】
【発明が解決しようとする課題】
【０００３】
上記特許文献１に記載されているガラスドアは、ガラス板の周囲が四方枠により保持されているので、ガラス板に撓みや反りが生じにくく、ガラスドアの強度が高いという利点がある。
しかし、四方枠を有しているので、デザイン的に自由度が小さく、かつガラスドアとしての見栄えも悪い。
また、ガラス板の周端部が四方枠により覆われるので、ガラスドアの透明な部分の領域が小さくなり、ガラスドアとしての本来の特性である広い見通し性や開放感が損なわれる。
【０００４】
特許文献２に記載のガラスドアは、四方枠がないので、上記のような問題の生じることはないが、ガラス板に蝶番を直接固定し、それのみにより、ドア全体を片持ちで支持しているので、ガラスドアに撓みや反りが生じ易い。
【０００５】
本発明は、上記問題点に鑑みてなされたもので、ガラス板の一側部を補強し、撓み等を抑えて、安定よく取付けうるとともに、ガラスの部分の領域を広げうるようにし、かつデザイン的に自由度が大きく、見栄えも向上しうるようにしたガラスドアを提供することを目的としている。
【課題を解決するための手段】
【０００６】
本発明によると、上記課題は、次の各項のようにして解決される。
（１）ガラス板よりなるドア本体における一側端部の前後面のいずれか一方に、上下方向を向くガラス保持部材を固着し、このガラス保持部材の上下方向の複数箇所に、前記ドア本体を水平回動可能に支持するヒンジ部材を取付ける。
【０００７】
このような構成とすると、ガラス板よりなるドア本体の一側端部が、ガラス保持部材により補強され、かつこのガラス保持部材に、ドア本体を支持するヒンジ部材を取付けているので、ドア本体の撓みを防止しうるとともに、ドア本体をヒンジ部材により安定よく取付けることができる。
また、ドア本体には、従来のような四方枠を設ける必要がなく、ヒンジ部材が取付けられる一側端部のみに、ガラス保持部材を取付けているので、ガラスの領域が広くなり、かつデザイン的に自由度も大きくなるため、ガラスドアとしての見栄えを向上させることができる。
【０００８】
（２）上記(１)項において、ガラス保持部材の上下の端面に、それぞれ、上方に開口する軸孔と、下方に開口する軸孔とを設け、これらの軸孔に、ドア本体を支持するドア支持金具に突設した、ヒンジ部材としてのヒンジピンを回動可能に嵌合する。
【０００９】
このような構成とすると、ガラス保持部材の側面に蝶番等における一方のヒンジ片をねじ止めすることなく、ガラス保持部材の上下の端面に、ヒンジピンを容易に取付けることができるとともに、重量のあるドア本体であっても、これを、ガラス保持部材と、その軸孔に嵌合した上下のヒンジピンにより安定よく取付けることができる。
【００１０】
（３）上記(２)項において、ガラス保持部材における軸孔の形成部を、ドア本体の開放方向に膨出させる。
【００１１】
このような構成とすると、ガラスドアの回動中心が、ドア本体のよりも前方に位置し、ガラスドアを開く際に、その側端面がガラスドアの取付面より離間するようになるので、ガラスドアとその取付面との間に指や異物が挟まれることがなくなる。    る。
【００１２】
（４）上記(１)〜(３)項のいずれかにおいて、ドア本体における一側端部の前後面の他方に、上下方向を向く補強部材を、ガラス保持部材とによりドア本体の側端部を前後から挟持するようにして固着する。
【００１３】
このような構成とすると、ドア本体の側端部が、ガラス保持部材と補強部材とにより強固に補強される。
【００１４】
（５）上記(４)項において、ガラス保持部材と補強部材とを、上下複数の締付手段により互いに結合する。
【００１５】
このような構成とすると、ドア本体の側端部が、ガラス保持部材と補強部材とにより強く挟持されるので、その部分がより強固に補強される。
【００１６】
（６）上記(５)項において、締付手段を、ガラス保持部材と補強部材とのいずれか一方に挿入され、ドア本体を貫通して他方側に突出する締付けねじと、この締付けねじと対向するようにして、ガラス保持部材と補強部材とのいずれか他方に設けためねじ孔とからなるものとする。
【００１７】
このような構成とすると、ガラス保持部材と補強部材同士を、容易に、かつ強固に結合することができる。
【００１８】
（７）上記(４)〜(６)項のいずれかにおいて、ガラス保持部材と補強部材同士を、ドア本体の側端面を覆う連結片を介して、互いに一体的に結合する。
【００１９】
このような構成とすると、ガラス保持部材と補強部材が連結片を介して一体化されているので、ドア本体の側端部の曲げ強度が大となる。
【発明の効果】
【００２０】
本発明によれば、ガラス板よりなるドア本体の一側端部が、ガラス保持部材により補強され、かつこのガラス保持部材に、ドア本体を支持するヒンジ部材を取付けているので、ドア本体を撓ませたりすることなく、これをヒンジ部材により安定よく取付けることができる。
また、ドア本体には、従来のような四方枠はなく、ヒンジ部材が取付けられる一側端部のみに、ガラス保持部材を取付けているので、ガラスの領域が広くなり、かつデザイン的に自由度も大きくなるため、ガラスドアとしての見栄えを向上させることができる。
【発明を実施するための最良の形態】
【００２１】
以下、本発明の実施形態を、図面に基づいて説明する。
図１は、本発明の一実施形態を備える間仕切りの要部の正面図、図２は、ガラスドアとそれに装着される部材の拡大分解斜視図、図３は、図１のIII-III線拡大横断平面図、図４は、同じくIV-IV線拡大横断平面図である。
【００２２】
床面に立設された、多数のガラスパネル１よりなる間仕切り２の一部に形成された出入口３には、左右１対の縦杆４、４と、両縦杆４の上端部同士を連結している横杆５とからなる正面視門型のドア枠６が固着され、このドア枠６により囲まれた内方には、ガラスドア７が、その右側端部に取付けた把手８を操作することにより、左側端部を中心として前方に開閉しうるように装着されている。
【００２３】
ガラスドア７における透明なガラス板９は、例えば厚さが１０〜１５ｍｍ程度の強化ガラスよりなっている。
左右の縦枠４及び横枠５の前後寸法は、ガラス板９の板厚よりも十分に大とされ、それらの後端部の内側面には、ガラスドア７の後方への移動を阻止するストッパ部１０が、内向きに突設されている。各ストッパ部１０の前面に長手方向に向かって形成されたあり溝状断面の嵌合溝１１には、ガラスドア７の周縁部後面が当接する、ゴムまたはエラストマーよりなる緩衝材１２(図２においては図示略)の後端部が嵌合されている(図３参照)。
【００２４】
ガラス板９の左側端部の前面と後面には、それぞれ、ガラス板９の上下寸法よりも若干短寸のアルミニウムまたは硬質合成樹脂等よりなるガラス保持部材１３と補強部材１４とが、次のようにして取付けられている。
図２及び図３に示すように、前面側のガラス保持部材１３は、後面が垂直面をなす所要幅の基部１３a の外側端部に、左側端面が垂直面をなす前向膨出部１３bを連設したものよりなり、前向膨出部１３bの前端部を除いた内部は、中空とされている。
【００２５】
前向膨出部１３bの前端部には、上下両方向に開口する軸孔１５が貫設され、基部１３a の後面の左側縁部には、位置決め用の突片１３cが、後向きに突設されている。
【００２６】
後面側の補強部材１４は、後面中央部に後向膨出部１４aを有する縦長の平板状をなし、後向膨出部１４aには、後方と上下両方向に開口する保持溝１６が、上下方向の全長に亘って形成されている。
【００２７】
ガラス保持部材１３と補強部材１４を、ガラス板９に取付けるには、それら互いの対向面間に緩衝シート１７、１７を挟入して、ガラス保持部材１３と補強部材１４を、ガラス板９の左側端部の前後両面に当接させる。この際、ガラス保持部材１３は、その突片１３cをガラス板９の側端面に当接させることにより、左右方向に位置決めすることができる。
【００２８】
ついで、補強部材１４に穿設された上下複数の取付孔１８に挿入した締付けねじである皿ねじ１９を、ガラス板９と前後の緩衝シート１７とに設けた通孔２０に挿通して、ガラス保持部材１３の基部１３a に設けためねじ孔２１に螺合して、強く締め付ける。これにより、ガラス板９の左側端部は、ガラス保持部材１３と補強部材１４とにより挟持され、その部分が補強されることにより、ガラス板９が厚さ方向に撓んだり、反ったりするのが防止される。
【００２９】
補強部材１４の後面には、合成樹脂製のカバー部材２２が、その前面に突設された上下複数の弾性係合片２３を、補強部材１４の保持溝１６に押し込んで係合させることにより、着脱可能に取付けられている。
【００３０】
図４及び図５に示すように、ドア枠６における左側の縦杆４の下端部の内側面には、正面視Ｌ字状断面のドア支持金具２４における垂直片２４aが、複数の皿ねじ２５により固定されている。ドア支持金具２４の内向片２４bには、上方を向くヒンジピン２６が、その下端に連設された若干小径のおねじ軸２７を、内向片２４bに穿設した通孔２８に挿通し、突出端部に２個のナット２９、２９を螺合することにより、回動不能に固着されている。３０は、おねじ軸２７の下端部に差し込まれた、ナット２９の緩み止めを防止するピンである。
【００３１】
このようにして、ヒンジピン２６をドア支持金具２４に固着すると、ヒンジピン２６が摩耗した際等に、それのみを交換することが可能となるが、ヒンジピン２６を、溶接により内向片２４bに固着することもある。
【００３２】
ガラス保持部材１３における前向膨出部１３bの軸孔１５の下端部には、鍔付きブッシュ３１が下方より圧嵌されており、この鍔付きブッシュ３１に、上記ヒンジピン２６を、スラストワッシャ３２を介して回動可能に嵌合することにより、ガラスドア７の左側の側端下部が、ドア支持金具２４の内向片２４bにより受支され、かつヒンジピン２６を中心として前方に回動することができる。
【００３３】
図６に示すように、正面視倒立Ｌ字状断面をなす上側のドア支持金具３３の内向片３３aには、上記ヒンジピン２６と同形のヒンジピン３４が、その上端に連設されたおねじ軸３５にナット２９、２９を螺合することにより、回動不能に下向きに固着されている。このヒンジピン３４を、前向膨出部１３bの軸孔１５の上端部に上方より圧嵌した、上記と同様の鍔付きブッシュ３１に、スラストワッシャ３２を介して上方より嵌合したのち、ドア支持金具３３の垂直片３３bを、左側の縦杆４の上端部の内側面に、複数の皿ねじ２５により固着することにより、ガラスドア７の側端上部が、ヒンジピン３４を中心として前方に回動可能に支持される。
【００３４】
上記実施形態のように、ガラスドア７には、従来のような四方枠はなく、ヒンジピン２６、３４が取付けられるガラス板９の一側端部のみに、ガラス保持部材１３と補強部材１４を取付けて構成されているので、透明なガラスの領域が広くなり、かつデザイン的に自由度も大きくなるため、ガラスドア７としての見栄えが向上する。
【００３５】
また、ガラス板９の側端部がガラス保持部材１３と補強部材１４とにより補強され、かつガラス保持部材１３の上下両端部が、ドア枠６の縦杆４に固定したドア支持金具３３、２４のヒンジピン３４、２６により回動可能に支持されているので、厚さ及び高さの比較的大きな重量のあるガラス板９であっても、それを変形させたりすることなく、ガラスドア７全体をヒンジピン３４、２６を介して安定よく取付けることができる。
【００３６】
さらに、ガラス保持部材１３における前向膨出部１３bが、上下のヒンジピン３４、２６により支持され、回動中心が、ガラスドア７よりも前方に位置しているので、ガラスドア７を開く際に、その側端面が縦杆４の内側面より離間するようになり、従って、ガラスドア７と縦杆４との間に指や異物が挟まれることがなくなる。
【００３７】
上記実施形態では、ガラス保持部材１３と補強部材１４とを別体としてあるが、図７に示すように、ガラス保持部材１３の突片１３cを後向きに延出することにより、ガラス板９の側端面を覆う連結片１３c'を形成し、これを、補強部材１４と結合して、ガラス保持部材１３と補強部材１４とを一体的に連結してもよい。このようにすると、ガラス板９の側端部がより強固に補強される。
【００３８】
また、上記実施形態では、ガラス保持部材１３の上下の端部を、ヒンジピン３４、２６により支持するようにしたが、ガラス板９が比較的軽量のものであるときには、上下複数の蝶番等を、ガラス保持部材１３の外側面に取付けて、これを支持することもある。
【００３９】
さらに、補強部材１４、及びその後面に止着したカバー部材２２は省略することもある。
ガラスドア７を後方に開閉するようにした際には、ガラス保持部材１３と補強部材１４とを、ガラス板９の前後面に、前後反対として固定すればよい。
【００４０】
ガラスドア７の上端部には、ドアクローザ３６が、次のようにして取付けられている。
図２及び図８に示すように、ドアクローザ３６は、クローザ本体３７と、その上面より突出する回動軸３８に基端部が相対回動不能に固定された回動アーム３９と、この回動アーム３９の先端部の上面に設けたスライダ４０を、左右方向に摺動可能に案内する側面視下向きコ字状のガイド溝４１aを有するガイドレール４１とからなる公知(例えばリョービ株式会社製)のコンシールドドアクローザよりなり、ガイドレール４１は、ドア枠６における横杆５の下面に設けた凹部４２内に、複数のねじ４３により固定されている。
【００４１】
左右方向に長い平板状の後部カバー部材４４における左方寄りの上端部前面には、左右２個の支持片４５、４５が前向きに固着され、両支持片４５の上面には、クローザ本体３７の上面に固定された取付板４６の両側端部が、クローザ本体３７が後部カバー部材４４の前面に位置するようにして載置され、取付板４６の上方から支持片４５に螺合した複数のねじ４７により固定されている。クローザ本体３７を取付けた状態での後部カバー部材４４の左右寸法は、回動アーム３９の右端より若干外方に突出するとともに、ガイドレール４１の左右寸法とほぼ等しくされている。
【００４２】
後部カバー部材４４の左右両端部と中央部との前面には、それぞれ、前方を向く上下２本ずつのスタッドボルト４８、４８の後端が固着されている。
ガラス板９の上端部には、クローザ本体３７と左右の支持片４５とが遊嵌される切欠凹部４９と、上部の各スタッドボルト４８が遊通されるＵ字溝５０と、下部の各スタッドボルト４８が挿通される通孔５１とが形成されている。
【００４３】
後部カバー部材４４に取付けたクローザ本体３７を上記切欠凹部４９に収容するようにして、各スタッドボルト４８を、ガラス板９のＵ字溝５０と通孔５１とに後方より嵌合し、ガラス板９の前面側に取付けられる、後部カバー部材４４とほぼ同じ左右寸法の中間ブラケット５２に設けた通孔５３を、ガラス板９の前方に突出する各スタッドボルト４８の突出端部に嵌合したのち、各スタッドボルト４８の前端部にナット５４を螺合することにより、後部カバー部材４４とそれに固定したクローザ本体３７とが、ガラス板９の上端部に取付けられる。
【００４４】
このようにして、後部カバー部材４４と中間ブラケット５２とをガラス板９に取付けた際、後部カバー部材４４の上端は、ガラス板９の上端よりもやや下方に位置し、中間ブラケット５２の上端とガラス板９の上端とは、ほぼ同一面に整合するようにしてある。なお、中間ブラケット５２にも、切欠凹部５５が形成され、クローザ本体３７と左右の支持片４５が中間ブラケット５２と干渉しないようにしてある。
【００４５】
中間ブラケット５２の左右両側縁と下縁は、前向きに折曲され、左右の折曲片５２a、５２aには、それぞれ、上下２個ずつのめねじ孔５６、５６が形成されている。
中間ブラケット５２には、前部カバー部材５７が、その上端とガラス板９の上端とがほぼ同一面に整合するようにして取付けられている。すなわち、図８及び図９に示すように、後面が開口された横長ケース状の前部カバー部材５７を、中間ブラケット５２に前方より嵌合したのち、前部カバー部材５７の両側面の上下２個の通孔５８、５８に挿入した止めねじ５９、５９を、中間ブラケット５２の左右の折曲片５２aのめねじ孔５６に螺合することにより、前部カバー部材５７は、中間ブラケット５２、及びその切欠凹部５５より突出しているクローザ本体３７を内部に収容するとともに、回動アーム３９と、ガイドレール４１及びそのガイド溝４１aとを前方から目隠ししうるようにして、着脱可能に取付けられている。
【００４６】
上記実施形態においては、ドアクローザ３６のクローザ本体３７を、ガラス板９を挟むようにして、その後面側と前面側に取付けられた後部カバー部材４４と前部カバー部材５７の間に位置させ、かつガラス板９の上端部に形成した切欠凹部４９内にクローザ本体３７を収容して取付けているので、ガラス板９の前面からのドアクローザ３６の突出寸法が小さくなり、ガラスドア７の体裁がよくなる。
【００４７】
また、クローザ本体３７は、後部カバー部材４４と前部カバー部材５７により前後方向から覆われ、回動アーム３９は、前部カバー部材５７により前方から目隠しされ、かつ、ガイドレール４１とそのガイド溝４１aも、これとほぼ同じ左右寸法の後部カバー部材４４と前部カバー部材５７により目隠しされて、ガラス板９の前後方向より透けて見えにくくなるので、ガラスドア７としての見栄えが向上する。
【００４８】
なお、上記実施形態においては、後部カバー部材４４を中間ブラケット５２に固定し、この中間ブラケット５２に前部カバー部材５７を取り付けてあるが、中間ブラケット５２を省略し、後部カバー部材４４と前部カバー部材５７とを直接ねじにより固定するようにしてもよい。
【００４９】
また、上記実施形態では、ガラスドア７を前方に開閉するものとしたが、後方に開閉するものとしてもよい。この際には、後部カバー部材４４、中間ブラケット５２、及び前部カバー部材５７のガラス板９への取付形態を、前後反対とすればよい。
【００５０】
さらに、上記実施形態では、ドア枠６における横杆５の下面に凹部４２を設け、この凹部４２内に、回動アーム３９のスライダ４０を案内するガイドレール４１を収容してあるが、このようなガイドレール４１を省略し、横杆５の下面にガイド溝４１aを直接設け、このガイド溝４１aにスライダ４０を摺動可能に嵌合してもよい。
【図面の簡単な説明】
【００５１】
【図１】本発明の一実施形態を備える間仕切りの要部の正面図である。
【図２】ガラスドアとそれに取り付けられる部材の拡大分解斜視図である。
【図３】図１のIII-III線拡大横断平面図である。
【図４】同じく、IV-IV線拡大横断平面図である。
【図５】ガラスドアの下部のヒンジ部の一部切欠き拡大正面図である。
【図６】同じく、上部のヒンジ部の一部切欠き拡大正面図である。
【図７】ガラス保持部材と補強部材とを一体的に形成した変形例を示す拡大横断平面図である。
【図８】ガラスドアにおけるドアクローザ取付部の拡大正面図である。
【図９】図８のIX-IX線横断平面図である。
【符号の説明】
【００５２】
１    ガラスパネル
２    間仕切り
３    出入口
４    縦杆
５    横杆
６    ドア枠
７    ガラスドア
８    把手
９    ガラス板(ドア本体)
１０  ストッパ部
１１  嵌合溝
１２  緩衝材
１３  ガラス保持部材
１３a 基部
１３b 前向膨出部
１３c 突片
１３c'連結片
１４  補強部材
１４a 後向き膨出部
１５  軸孔
１６  保持溝
１７  緩衝シート
１８  取付孔
１９  皿ねじ(締付けねじ)
２０  通孔
２１  めねじ孔
２２  カバー部材
２３  弾性係合片
２４  ドア支持金具
２４a 垂直片
２４b 内向片
２５  皿ねじ
２６  ヒンジピン
２７  おねじ軸
２８  通孔
２９  ナット
３０  ピン
３１  鍔付きブッシュ
３２  スラストワッシャ
３３  ドア支持金具
３３a 内向片
３３b 垂直片
３４  ヒンジピン
３５  おねじ軸
３６  ドアクローザ
３７  クローザ本体
３８  回動軸
３９  回動アーム
４０  スライダ
４１  ガイドレール
４１a ガイド溝
４２  凹部
４３  ねじ
４４  後部カバー部材
４５  支持片
４６  取付板
４７  ねじ
４８  スタッドボルト
４９  切欠凹部
５０  Ｕ字溝
５１  通孔
５２  中間ブラケット
５２a 折曲片
５３  通孔
５４  ナット
５５  切欠凹部
５６  めねじ孔
５７  前部カバー部材
５８  通孔
５９  止めねじ
【図１】
2010077771.tif 000003
【図２】
2010077771.tif 000004
【図３】
2010077771.tif 000005
【図４】
2010077771.tif 000006
【図５】
2010077771.tif 000007
【図６】
2010077771.tif 000008
【図７】
2010077771.tif 000009
【図８】
2010077771.tif 000010
【図９】
2010077771.tif 000011